(57)【要約】【課題】鏡に写すべき被写体を十分な明るさでより均一に照明することができる照明付き鏡装置を提供する。【解決手段】照明付き鏡装置１０は、鏡３０と、或る一つの方向ｄ１に沿って鏡３０の側方となる位置に少なくとも位置する面光源装置４０と、を含む。面光源装置の発光面４０ａ上の輝度についての鏡の法線方向ｎｄ及び前記一つの方向の両方に平行となる面内での角度分布においてピーク輝度を呈する方向は、鏡の法線方向に対して、前記一つの方向における面光源装置の側から鏡の側へ傾斜している。【選択図】図１
2014094177.tif 000002
【特許請求の範囲】
【請求項１】
鏡と、
或る一つの方向に沿って前記鏡の側方となる位置に少なくとも位置する面光源装置と、を備え、
前記面光源装置の発光面上の輝度についての前記鏡の法線方向および前記一つの方向の両方に平行となる面内での角度分布においてピーク輝度を呈する方向は、前記鏡の法線方向に対して、前記一つの方向における前記面光源装置の側から前記鏡の側へ傾斜している、照明付き鏡装置。
【請求項２】
前記面光源装置は、導光板と、前記導光板に対面する位置に配置された発光ダイオードと、を有する、請求項１に記載の照明付き鏡装置。
【請求項３】
前記一つの方向に沿って前記鏡の両側方となる位置に、それぞれ、第１の面光源装置および前記第２の面光源装置が配置され、
前記第１の面光源装置の発光面上の輝度についての前記鏡の法線方向および前記一つの方向の両方に平行となる面内での角度分布においてピーク輝度を呈する方向は、前記鏡の法線方向に対して、前記一つの方向における前記第１の面光源装置の側から前記鏡の側へ傾斜し、
前記第２の面光源装置の発光面上の輝度についての前記鏡の法線方向および前記一つの方向の両方に平行となる面内での角度分布においてピーク輝度を呈する方向は、前記鏡の法線方向に対して、前記一つの方向における前記第２の面光源装置の側から前記鏡の側へ傾斜している、請求項１または２に記載の照明付き鏡装置。
【請求項４】
前記一つの方向に沿って前記面光源装置の両側方となる位置に、それぞれ、第１の鏡および前記第２の鏡が配置され、
前記面光源装置の発光面上の輝度についての前記一つの方向と平行となる面内での角度分布に、第１のピーク輝度及び第２のピーク輝度が発生し、
第１のピーク輝度を呈する方向は、前記第１の鏡への法線方向に対して、前記一つの方向における前記面光源装置の側から前記第１の鏡の側へ傾斜し、
第２のピーク輝度を呈する方向は、前記第２鏡への法線方向に対して、前記一つの方向における前記面光源装置の側から前記第２の鏡の側へ傾斜している、請求項１〜３のいずれか一項に記載の照明付き鏡装置。
【請求項５】
前記面光源装置は、前記鏡に対して可動である、請求項１〜４のいずれか一項に記載の照明付き鏡装置。
【請求項６】
前記面光源装置は、前記照明付き鏡装置から取り外し可能となっている、請求項１〜５のいずれか一項に記載の照明付き鏡装置。
【請求項７】
前記ピーク輝度を呈する方向が、前記鏡の法線方向に対してなす角度の大きさは、１５°以上の７５°以下である、請求項１〜６のいずれか一項に記載の照明付き鏡装置。
【請求項８】
前記面光源装置の発光面上の輝度についての前記鏡の法線方向および前記一つの方向の両方に平行となる面内での前記角度分布において、前記ピーク輝度を呈する方向を含み且つ前記ピーク輝度の半分以上の輝度が得られる角度域の広さは１０°以上の７０°以下となっている、請求項１〜７のいずれか一項に記載の照明付き鏡装置。
【請求項９】
前記面光源装置の発光面上の輝度についての前記鏡の法線方向および前記一つの方向の両方に平行となる面内での前記角度分布において、前記ピーク輝度を呈する方向を含み且つ前記ピーク輝度の半分以上の輝度が得られる角度域は、前記鏡の法線方向に対して、前記一つの方向における前記面光源装置の側から前記鏡の側へ傾斜した範囲にある、請求項１〜８のいずれか一項に記載の照明付き鏡装置。
【発明の詳細な説明】
【技術分野】
【０００１】
本発明は、鏡と、面光源装置と、を有した照明付き鏡装置に関する。
【背景技術】
【０００２】
例えば特許文献１に開示されているように、鏡と照明装置とを組み合わせてなる照明付き鏡装置が知られている。従来の照明付き鏡装置の多くにおいて、照明装置は、指向性の無い又は指向性の弱い拡散光を射出する。したがって、この装置では、照明装置からの光のうちの一部のみが、鏡に写し出されるべき被写体に照射されることになる。そして、照明装置からの熱や紫外線の放出等を考慮すると、照明装置からの照射強度を制限する必要があり、このため、被写体を十分に明るく照明することができない。またそもそも、照明装置からの多くの光が有効に利用されておらず、照明光の利用効率が著しく低下する点において好ましくない。
【０００３】
以上の不具合を解消すべく、スポットライト等の点光源を照明装置として用いた照明付き鏡装置も存在する。しかしながら、点光源からの照明では、点光源からの距離に応じて、被写体の各位置への照射光量が大きくばらつき、被写体を均一な明るさで照明することができない。とりわけ、被写体が立体的である場合には、点光源によって照明された被写体の明るさのむらが顕著となる。加えて、点光源を用いた場合、被写体と点光源との距離や被写体の大きさ等に依存して、被写体の全体を照明することができないことすらある。
【先行技術文献】
【特許文献】
【０００４】
【特許文献１】特開２００１−４６１９９号公報
【発明の概要】
【発明が解決しようとする課題】
【０００５】
本発明は、以上の点を考慮してなされたものであり、鏡に写すべき被写体を十分な明るさでより均一に照明することができる照明付き鏡装置を提供することを目的とする。
【課題を解決するための手段】
【０００６】
本発明による照明付き鏡装置は、
鏡と、
或る一つの方向に沿って前記鏡の側方となる位置に少なくとも位置する面光源装置と、を備え、
前記面光源装置の発光面上の輝度についての前記鏡の法線方向および前記一つの方向の両方に平行となる面内での角度分布においてピーク輝度を呈する方向は、前記鏡の法線方向に対して、前記一つの方向における前記面光源装置の側から前記鏡の側へ傾斜している。
【０００７】
本発明による照明付き鏡装置において、前記面光源装置は、導光板と、前記導光板に対面する位置に配置された発光ダイオードと、を有するようにしてもよい。
【０００８】
本発明による照明付き鏡装置において、
前記一つの方向に沿って前記鏡の両側方となる位置に、それぞれ、第１の面光源装置および前記第２の面光源装置が配置され、
前記第１の面光源装置の発光面上の輝度についての前記鏡の法線方向および前記一つの方向の両方に平行となる面内での角度分布においてピーク輝度を呈する方向は、前記鏡の法線方向に対して、前記一つの方向における前記第１の面光源装置の側から前記鏡の側へ傾斜し、
前記第２の面光源装置の発光面上の輝度についての前記鏡の法線方向および前記一つの方向の両方に平行となる面内での角度分布においてピーク輝度を呈する方向は、前記鏡の法線方向に対して、前記一つの方向における前記第２の面光源装置の側から前記鏡の側へ傾斜していてもよい。
【０００９】
本発明による照明付き鏡装置において、
前記一つの方向に沿って前記面光源装置の両側方となる位置に、それぞれ、第１の鏡および前記第２の鏡が配置され、
前記面光源装置の発光面上の輝度についての前記一つの方向と平行となる面内での角度分布に、第１のピーク輝度及び第２のピーク輝度が発生し、
第１のピーク輝度を呈する方向は、前記第１の鏡への法線方向に対して、前記一つの方向における前記面光源装置の側から前記第１の鏡の側へ傾斜し、
第２のピーク輝度を呈する方向は、前記第２鏡への法線方向に対して、前記一つの方向における前記面光源装置の側から前記第２の鏡の側へ傾斜していてもよい。
【００１０】
本発明による照明付き鏡装置において、前記面光源装置は、前記鏡に対して可動であってもよい。
【００１１】
本発明による照明付き鏡装置において、前記面光源装置は、前記照明付き鏡装置から取り外し可能となっていてもよい。
【００１２】
本発明による照明付き鏡装置において、前記ピーク輝度を呈する方向が、前記鏡の法線方向に対してなす角度の大きさは、１５°以上７５°以下であってもよい。
【００１３】
本発明による照明付き鏡装置において、前記面光源装置の発光面上の輝度についての前記鏡の法線方向および前記一つの方向の両方に平行となる面内での前記角度分布において、前記ピーク輝度を呈する方向を含み且つ前記ピーク輝度の半分以上の輝度が得られる角度域の広さは１０°以上７０°以上となっていてもよい。
【００１４】
本発明による照明付き鏡装置において、前記面光源装置の発光面上の輝度についての前記鏡の法線方向および前記一つの方向の両方に平行となる面内での前記角度分布において、前記ピーク輝度を呈する方向を含み且つ前記ピーク輝度の半分以上の輝度が得られる角度域は、前記鏡の法線方向に対して、前記一つの方向における前記面光源装置の側から前記鏡の側へ傾斜した範囲にあってもよい。
【発明の効果】
【００１５】
本発明によれば、鏡に写すべき被写体を十分な明るさで十分均一に照明することができる。この結果、被写体の鏡への写り映えを効果的に改善することができる。
【図面の簡単な説明】
【００１６】
【図１】図１は、本発明による一実施の形態を説明するための図であり、図１は、照明付き鏡装置を示す斜視図である。
【図２】図２は、図１の照明付き鏡装置を示す上面図である。
【図３】図３は、図１の照明付き鏡装置に組み込まれた面光源装置を示す斜視図である。
【図４】図４は、図３の面光源装置の横断面図であって、面光源装置の作用を説明するための図である。
【図５】図５は、図４のＶ−Ｖ線に沿った断面を示す図であって、導光板の作用を説明するための図である。
【図６】図６は、面光源装置の発光面上の輝度についての角度分布を示すグラフである。
【図７】図７は、照明付き鏡装置の一変形例を示す斜視図である。
【図８】図８は、照明付き鏡装置の他の変形例を示す斜視図である。
【図９】図９は、照明付き鏡装置のさらに他の変形例を示す斜視図である。
【図１０】図１０は、図９の照明付き鏡装置を折り畳んだ状態にて示す側面図である。
【図１１】図１１は、図２に対応する図であって、照明付き鏡装置のさらに他の変形例を示す上面図である。
【図１２】図１２は、図１１の面光源装置の発光面上の輝度についての角度分布を示すグラフである。
【図１３】図１３は、図４に対応する図であって、図１１の照明付き鏡装置に組み込まれ得る面光源装置の一例を示す図である。
【図１４】図１４は、図４に対応する図であって、面光源装置の一変形例を示す図である。
【図１５】図１５は、照明付き鏡装置のさらに他の変形例を示す斜視図である。
【発明を実施するための形態】
【００１７】
以下、図面を参照して本発明の一実施の形態について説明する。図１〜図１５においては、図示と理解のしやすさの便宜上、適宜縮尺および縦横の寸法比等を、実物のそれらから変更し誇張してある。
【００１８】
また、本明細書において用いる、形状や幾何学的条件並びにそれらの程度を特定する用語、例えば、「平行」、「直交」、「三角形形状」等の用語や角度の値等については、同様の光学的機能を期待し得る程度の誤差範囲を含めて解釈することとする。
【００１９】
図１〜図６は、本発明による一実施の形態を説明するための図である。このうち、図１は、照明付き鏡装置１０を示す斜視図であり、図２は、照明付き鏡装置１０を示す上面図である。図１及び図２に示すように、照明付き鏡装置１０は、被写体５を写す面３４を有した鏡３０と、鏡３０の板面と平行に延びる第１方向ｄ１に沿って鏡３０の側方となる位置に少なくとも位置する面光源装置４０と、を有している。面光源装置４０は、発光面４０ａを有し、発光面４０ａから面状に光を投射する。照明付き鏡装置１０では、鏡３０に写されるべき被写体５を面光源装置４０で照明することができ、これにより、被写体５の鏡３０への写り映えを改善することができる。とりわけ、以下に説明する実施の形態では、鏡３０に正対する被写体５、すなわち鏡３０の法線方向ｎｄに沿って当該鏡３０に対面する被写体５を面光源装置４０で照明する照明付き鏡装置１０を例に挙げる。このような照明付き鏡装置１０は、例えば、化粧室用の鏡、試着室用の鏡、美容院や理容院の鏡、化粧品売り場の鏡等として好適に使用され得る。
【００２０】
図１及び図２に示すように、照明付き鏡装置１０は、鏡３０および面光源装置４０を支持する支持要素２０をさらに備えている。図１及び図２に示された例において、支持要素２０は、鏡３０の背面側に配置されたフレーム構造体２１として構成されている。面光源装置４０は、フレーム構造体２１によって鏡３０の周囲となる位置に配置され、鏡３０との相対位置関係に関連した特異な配光特性で照明光Ｌａを射出する。この配光特性に起因して、面光源装置４０からの照明光Ｌａによって被写体５を効果的に照明することができ、これにより、被写体５の像６を鏡３０に写り映え良く写すことができる。
【００２１】
以下、図示された一実施の形態を例に挙げ、照明付き鏡装置１０について更に詳細に説明する。
【００２２】
面光源装置４０は、鏡３０の板面と平行に延びる第１方向ｄ１に沿って鏡３０の側方となる位置に少なくとも位置している。図示された例において、鏡３０は、平面鏡として構成されている。そして、第１方向ｄ１は、鏡３０の被写体５を写す面３４、言い換えると、被写体像６が観察されるようになる側の面３４に沿って延びている。
【００２３】
なお、本明細書において、鏡３０や、後述する導光板５０及び光学シート７０等のようなシート状、フィルム状、板状またはパネル状の対象物に対して用いる「シート面」、「フィルム面」、「板面」または「パネル面」とは、当該対象物を全体的かつ大局的に見た場合において対象物によって画定される面のことを指す。また、本明細書において、鏡３０や、後述する導光板５０及び光学シート７０等のようなシート状、フィルム状、板状またはパネル状の対象物に対して用いる法線方向とは、当該対象物のシート面、フィルム面、板面またはパネル面への法線方向のことを指す。
【００２４】
図示する例において、照明付き鏡装置１０は、第１面光源装置４１及び第２面光源装置４２を有している。第１面光源装置４１及び第２面光源装置４２は、第１方向ｄ１に沿って鏡３０と並べられ、鏡３０は、第１面光源装置４１及び第２面光源装置４２の間に位置している。とりわけ図１及び図２に示された例において、第１面光源装置４１の発光面４１ａ及び第２面光源装置４２の発光面４２ａが、鏡３０の被写体５を写す面３４とともに第１方向ｄ１と平行になるよう、第１面光源装置４１、第２面光源装置４２及び鏡３０が配置されている。また、第１方向ｄ１は水平方向に延びており、第１面光源装置４１及び第２面光源装置４２は、鏡３０の両横に配置されている。
【００２５】
ただし、図１及び図２に実線で示した構成は、単なる例示であり、種々の変更が可能である。例えば、面光源装置４０の鏡３０に対する位置は、図１に実線で示された位置に限られない。また、一つの面光源装置４０のみが、又は、三以上の面光源装置４０が、照明付き鏡装置１０に組み込まれてもよい。具体例として、図１に二点鎖線で示すように、第１方向ｄ１と交差する第２方向ｄ２に沿って鏡３０の側方となる位置に、第１及び第２面光源装置４１，４２に代えて又は第１及び第２面光源装置４１，４２に加えて、第３及び第４面光源装置４３，４４の一以上が設けられても良い。面光源装置４０の数や鏡３０に対する相対位置を適切化することにより、被写体５をより明るく、より全体的に、より陰を生じさせることなく、照明することが可能となる。
【００２６】
また、面光源装置４０が照明付き鏡装置１０の支持要素２０から取り外し可能であってもよい。この例において、取り外し可能な面光源装置４０が、二以上の異なる位置に取り付け可能となっていてもよい。面光源装置４０を取り外し可能とすることで、被写体５を照明する必要が無い場合に、照明付き鏡装置１０から面光源装置４０を取り外すことが可能となり、照明付き鏡装置１０の利便性が向上し且つ省スペースの観点からも都合が良い。例えば、図１の第１面光源装置４１及び第２面光源装置４２の一以上が、フレーム構造体２１から取り外されて、二点鎖線で示された第３面光源装置４３又は第４面光源装置４４の位置に取り付けられ得るようにしてもよい。面光源装置４０の鏡３０に対する相対位置を適切化することにより、被写体５をより明るく、より全体的に、より陰を生じさせることなく、照明することが可能となる。
【００２７】
さらに、面光源装置４０が、照明付き鏡装置１０の鏡３０に対して相対移動可能、言い換えると、照明付き鏡装置１０の鏡３０に対して可動であってもよい。具体例として、図２に二点鎖線で示すように、第１面光源装置４１及び第２面光源装置４２の一以上が、鏡３０に対して相対揺動可能となっていてもよい。面光源装置４０の鏡３０に対する相対位置を適切化することにより、被写体５をより明るく、より全体的に、より陰を生じさせることなく、照明することができる。
【００２８】
次に、面光源装置４０の配光特性について説明する。図６には、第１面光源装置４１の発光面４１ａ上の輝度についての角度分布ｄｃ１および第２面光源装置４２の発光面４２ａ上の輝度についての角度分布ｄｃ２が示されている。図６のグラフに示された各輝度の角度分布ｄｃ１，ｄｃ２は、鏡３０の法線方向ｎｄ及び第１方向ｄ１の両方向に平行な面において測定されたものである。図６のグラフにおいて、縦軸は、輝度を示しており、横軸は、輝度を測定した角度を示している。なお、角度の値は、鏡３０の法線方向ｎｄと平行な方向を０°とし、且つ、当該法線方向ｎｄに対して時計回り方向に傾斜した場合の角度を正の値とし、当該法線方向ｎｄに対して反時計回り方向に傾斜した場合の角度を負の値とした。
【００２９】
図２及び図６に示すように、面光源装置４０の発光面４０ａ上の輝度についての鏡３０の法線方向ｎｄ及び第１方向ｄ１の両方に平行となる面内での角度分布においてピーク輝度を呈する方向は、鏡３０の法線方向ｎｄに対して、第１方向ｄ１における面光源装置４０の側から鏡３０の側へ傾斜している。言い換えると、輝度の角度分布においてピーク輝度を呈する方向が、鏡３０の法線方向ｎｄに対してなす角度の値の大きさ、すなわち当該角度の値の絶対値は、０°より大きく且つ９０°未満となる。
【００３０】
図１及び図２に示された照明付き鏡装置１０では、第１の面光源装置４１の発光面４１ａ上の輝度についての鏡３０の法線方向ｎｄ及び第１方向ｄ１の両方に平行となる面内での角度分布ｄｃ１においてピーク輝度を呈する方向ｄｐ１は、鏡３０の法線方向ｎｄに対して、第１方向ｄ１における第１の面光源装置４１の側から鏡３０の側へ傾斜している。すなわち、第１の面光源装置４１の発光面４１ａ上の輝度の角度分布においてピーク輝度を呈する方向ｄｐ１が、鏡３０の法線方向ｎｄに対してなす角度θｐ１の値は、０°より大きく且つ９０°未満となっている。また、第２の面光源装置４２の発光面４２ａ上の輝度についての鏡３０の法線方向ｎｄ及び第１方向ｄ１の両方に平行となる面内での角度分布ｄｃ２においてピーク輝度を呈する方向ｄｐ２は、鏡３０の法線方向ｎｄに対して、第１方向ｄ１における第２の面光源装置４２の側から鏡３０の側へ傾斜している。すなわち、第２の面光源装置４２の発光面４２ａ上の輝度の角度分布においてピーク輝度を呈する方向ｄｐ２が、鏡３０の法線方向ｎｄに対してなす角度θｐ２の値は、−９０°より大きく且つ０°未満となっている。
【００３１】
このようにして輝度の角度分布においてピーク輝度を呈する方向が鏡３０の法線方向ｎｄに対して調整されている照明付き鏡装置１０によれば、面光源装置１０からの照明光Ｌａによって、被写体５を効率的に照明することができる。すなわち、面光源装置１０で発光された光Ｌａを高い利用効率で被写体５の照明に用いることができる。この結果、熱や紫外線の放出の点から好ましく無い程度にまで面光源装置１０の照射強度を増強することを回避しながら、被写体５を十分な明るさで照明することができる。また、スポットライト等の点光源と異なり、面光源装置４０は、被写体５の大きさ及び被写体５を写す鏡３０の面３４の大きさを考慮して、適切な大きさの発光面４０ａを有し得る。したがって、被写体５の鏡３０に写し出される部分に明るさのムラが生じることを効果的に抑制しながら、被写体５の鏡３０に写し出される部分を十分均一な明るさにて全体的に照明することができる。
【００３２】
なお、照明付き鏡装置１０の鏡３０が、化粧室用の鏡、試着室用の鏡、美容院や理容院の鏡、化粧品売り場の鏡等の用途にて、人間の顔を写すこと意図されている場合には、面光源装置４０の発光面４０ａ上の輝度についての鏡３０の法線方向ｎｄ及び第１方向ｄ１の両方に平行となる面内での角度分布においてピーク輝度を呈する方向が、鏡３０の法線方向ｎｄに対してなす角度の値の大きさ、すなわち当該角度の値の絶対値は、１５°以上７５°以下であることが好ましい。本件発明者らが鋭意実験を重ねたところ、このような設定によれば、被写体５たる人間の顔を極めて効果的に照明して、当該人間の顔の鏡３０への写り映えを効果的に改善することができた。
【００３３】
また、図６に示すように、面光源装置４０の発光面４０ａ上の輝度についての鏡３０の法線方向ｎｄ及び第１方向ｄ１の両方に平行となる面内での角度分布において、ピーク輝度を呈する方向を含み且つピーク輝度の半分以上の輝度が得られる角度域の広さ、言い換えると半値幅角は、１０°以上７０°以下となっている。したがって、当該角度域は、おおよそ、ピーク輝度を中心とした±５°以上±３５°以下の範囲となっている。図１及び図２に示された照明付き鏡装置１０では、第１の面光源装置４１の発光面４１ａ上の輝度についての鏡３０の法線方向ｎｄ及び第１方向ｄ１の両方に平行となる面内での角度分布ｄｃ１において、ピーク輝度を呈する方向ｄｐ１を含み且つピーク輝度の半分以上の輝度が得られる角度域の広さθｗ１が１０°以上７０°以下となっており、且つ、第２の面光源装置４２の発光面４２ａ上の輝度についての鏡３０の法線方向ｎｄ及び第１方向ｄ１の両方に平行となる面内での角度分布ｄｃ２において、ピーク輝度を呈する方向ｄｐ２を含み且つピーク輝度の半分以上の輝度が得られる角度域の広さθｗ２が１０°以上７０°以下となっている。
【００３４】
このようにして輝度の角度分布においてピーク輝度の半分以上の輝度が得られる角度域の広さが設定されている照明付き鏡装置１０、すなわち、輝度の角度分布における半値全幅が設定されている照明付き鏡装置１０によれば、面光源装置１０からの照明光Ｌａによって、被写体５を効率的に照明することができる。すなわち、面光源装置１０で発光された光Ｌａを高い利用効率で被写体５の照明に用いることができる。この結果、熱や紫外線の放出の点から好ましく無い程度にまで面光源装置１０の照射強度を増強することを回避しながら、被写体５を十分な明るさで照明することができる。また、スポットライト等の点光源と異なり、面光源装置４０が、被写体５の大きさ及び被写体５を写す鏡３０の面３４の大きさを考慮して、適切な大きさの発光面４０ａを有し得る。そして、発光面４０ａ内の各位置から適切な広さの角度域に広がる照明光Ｌａを照射することができる。この結果、被写体５の各位置には、適度な広さを有した発光面４０ａ上の各位置から射出する照明光Ｌａがそれぞれ照射され得る。したがって、被写体５の鏡３０に写し出される部分に陰が生じてしまうことを効果的に抑制し且つ明るさのムラが生じてしまうことを効果的に抑制しながら、被写体５の鏡３０に写し出される部分を十分均一な明るさにて全体的に照明することができる。
【００３５】
なお、照明付き鏡装置１０の鏡３０が、化粧室用の鏡、試着室用の鏡、美容院や理容院の鏡、化粧品売り場の鏡等の用途にて、人間の顔を写すこと意図されている場合には、面光源装置４０の発光面４０ａ上の輝度についての鏡３０の法線方向ｎｄ及び第１方向ｄ１の両方に平行となる面内での角度分布において、ピーク輝度を呈する方向を含み且つピーク輝度の半分以上の輝度が得られる角度域の広さは２０°以上６０°以下となっていることが好ましい。本件発明者らが鋭意実験を重ねたところ、このような設定によれば、被写体５たる人間の顔を極めて効果的に照明して、当該人間の顔の鏡３０への写り映えを効果的に改善することができた。
【００３６】
さらに、図６に示すように、面光源装置４０の発光面４０ａ上の輝度についての鏡３０の法線方向ｎｄ及び第１方向ｄ１の両方に平行となる面内での角度分布においてピーク輝度を呈する方向を含み且つピーク輝度の半分以上の輝度が得られる角度域が、鏡３０の法線方向ｎｄに対して、第１方向ｄ１における面光源装置４０の側から鏡３０の側へ傾斜した範囲にある。言い換えると、輝度の角度分布においてピーク輝度を呈する方向を含み且つピーク輝度の半分の輝度が得られる角度域内の各方向が、鏡３０の法線方向ｎｄに対して同一の側に傾斜している。
【００３７】
図１及び図２に示された照明付き鏡装置１０では、第１の面光源装置４１の発光面４１ａ上の輝度の角度分布においてピーク輝度の半分の輝度が得られる方向ｄｗｘ１，ｄｗｙ１が、いずれも、鏡３０の法線方向ｎｄに対して、第１方向ｄ１における第１の面光源装置４１の側から鏡３０の側へ傾斜している。そして、第１の面光源装置４１の発光面４１ａ上の輝度の角度分布においてピーク輝度の半分の輝度が得られる方向ｄｗｘ１，ｄｗｙ１が、鏡３０の法線方向ｎｄに対してなす角度θｗｘ１，θｗｙ１の値が、０°より大きく且つ９０°未満となっている。また、第２の面光源装置４２の発光面４２ａ上の輝度の角度分布においてピーク輝度の半分の輝度が得られる方向ｄｗｘ２，ｄｗｙ２が、いずれも、鏡３０の法線方向ｎｄに対して、第１方向ｄ１における第２の面光源装置４２の側から鏡３０の側へ傾斜している。そして、第２の面光源装置４２の発光面４２ａ上の輝度の角度分布においてピーク輝度の半分の輝度が得られる方向ｄｗｘ２，ｄｗｙ２が、鏡３０の法線方向ｎｄに対してなす角度θｗｘ２，θｗｙ２の値が、−９０°より大きく且つ０°未満となっている。
【００３８】
このようにして輝度の角度分布においてピーク輝度を呈する方向を含み且つピーク輝度の半分以上の輝度を確保し得る角度域の方向が鏡３０の法線方向ｎｄに対して調整されている照明付き鏡装置１０によれば、より優れた利用効率にて面光源装置４０からの照明光Ｌａを利用して、被写体５をより明るく照明することができる。また、被写体５の鏡３０に写し出される部分に陰が生じてしまうこと並びに明るさのムラが生じてしまうことの両方をより効果的に抑制しながら、被写体５の鏡３０に写し出される部分をより均一な明るさにて全体的に照明することができる。
【００３９】
次に、以上に説明した配光特性を実現し得る面光源装置４０の一具体例について詳述する。図３〜図５には、図６に示された配光特性を実現し得る面光源装置４０の一具体例が示されている。なお、図１及び図２に示された第１面光源装置４１及び第２面光源装置４２は、第１方向ｄ１に直交する面を中心として互いに対称的な構成を有する。したがって、ここでは、重複した説明を省略する観点から、図３〜図５に示された第２面光源装置４２に対応する一例についてのみ説明する。
【００４０】
図３及び図４に示すように、面光源装置４０は、エッジライト型の面光源装置として構成され、導光板５０と、導光板５０の側方に配置された光源４５と、導光板５０にそれぞれ対向して配置された光学シート（プリズムシート）７０および反射シート４９と、を有している。図示された例では、光学シート７０が最も出光側に配置され、光学シート７０の出光面７１が発光面４０ａを形成している。
【００４１】
図示する例において、導光板５０は、全体的に、一対の主面を有する四角形板状の部材として構成されており、一対の主面間に画成される側面は四つの面を含んでいる。同様に、光学シート７０および反射シート４９は、全体的に、四角形板状の部材として構成されている。
【００４２】
導光板５０は、光学シート７０側の主面によって構成された出光面５１と、出光面５１に対向するもう一方の主面からなる裏面５２と、出光面５１および裏面５２の間を延びる側面と、を有している。側面のうちの第１方向ｄ１に対向する二つの面のうちの一方の側面が、入光面５３をなしている。図３及び図４に示すように、入光面５３に対面して光源４５が設けられている。入光面５３から導光板５０に入射した光は、導光方向となる第１方向ｄ１に沿って入光面５３に対向する反対面５４に向け、概ね第１方向ｄ１に沿って導光板５０内を導光されるようになる。図３および図４に示すように、光学シート７０は、導光板５０の出光面５１に対面するようにして配置され、反射シート４９は、導光板５０の裏面５２に対面するようにして配置されている。
【００４３】
なお、面光源装置４０は、第１方向ｄ１に沿って鏡３０と並べられている。そして、図４に示すように、第１方向ｄ１に沿って延びるように配置された導光板５０のうちの、反対面５４が鏡３０の側に配置され、入光面５３が鏡３０から離間する側に配置されている。したがって、発光源４５は、第１方向ｄ１に沿って導光板５０の鏡３０に対面する側とは反対の側に位置している。つまり、発光源４５から射出された光は、導光板５０内において、第１方向ｄ１に沿って鏡３０に接近する向きに進む。
【００４４】
光源は、例えば、線状の冷陰極管等の蛍光灯や、点状のＬＥＤ（発光ダイオード）や白熱電球等の種々の態様で構成され得る。図示された例において、光源４５は、入光面５３の長手方向に沿って、並べて配置された多数の点状発光体、具体的には、多数の発光ダイオード（ＬＥＤ）４６によって、構成されている。なお、発光ダイオードは、エネルギ効率において優れるだけでなく、次の点において他の光源、例えば有機エレクトロルミネッセンス光源と比較して、照明付き鏡装置１０への適用において有利である。まず、種々の配光特性を有した発光ダイオード４６を安価に入手することができる。したがって、導光板５０及び光学シート７０との組み合わせにおいて、所望の配光特性を有した面光源装置４０を安価且つ容易に作製することができる。また、種々のスペクトル特性を有した発光ダイオード４６を安価に入手することができる。したがって、照明付き鏡装置１０の用途や使用場所に応じて発光ダイオード４６の発光スペクトルを選択することにより、例えば優れた演色性を呈し得るように選択することにより、面光源装置４０によって被写体５をより効果的に照明することができる。
【００４５】
反射シート４９は、導光板５０の裏面５２から漏れ出した光を反射して、再び導光板５０内に入射させるための部材である。反射シート４９は、白色の散乱反射シート、金属等の高い反射率を有する材料からなるシート、高い反射率を有する材料からなる薄膜（例えば金属薄膜）を表面層として含んだシート等から、構成され得る。
【００４６】
光学シート７０は、入光側から入射した光の進行方向を補正して出光側から出射させるためのシート状部材である。図３及び図４に示す例において、光学シート７０は、シート状の本体部７４と、そのシート面上の一方向（配列方向）、具体的には、上述した導光板５０の入光面５３と反対面５４とを結ぶ第１方向ｄ１に沿って並べて配列された複数の単位プリズム７５を有している。単位プリズム７５は、本体部７４上に配列されており、本体部７４から導光板５０の側へ向けて突出している。単位プリズム７５は、光学シート７０のシート面上において、その配列方向に直交する方向に直線状に延びている。単位プリズム７０は、その長手方向に直交する断面において、三角形形状の断面形状を有している。すなわち、単位プリズム７５は、第１方向ｄ１に沿って一方の側、より具体的には、鏡３０から離間する側に位置する一側面７６と、第１方向ｄ１に沿って他側に位置する他側面７７と、を有している。単位プリズム７５は本体部７４上に隙間無く配置列され、光学シート７０の入光面７２は、一側面７６及び他側面７７によって形成されている。一方、光学シート７０の出光面７１は、本体部７４によって形成されている。
【００４７】
なお、光学シート７０の寸法および形状は、後述する導光板５０の寸法および形状を考慮しながら、適宜設定され得る。例えば、図６に示された配光特性を面光源装置４０に付与する観点からは、一例として、光学シート７０の寸法および形状を以下のように設定することができる。まず、単位プリズム７０の幅Ｗｃ（図４参照）を１０μｍ以上２００μｍ以下とすることができる。また、光学シート７０のシート面への法線方向に沿った本体部７４からの単位プリズム７５の突出高さＨｃ（図４参照）を７μｍ以上１５０μｍ以下とすることができる。一方、本体部７４の厚みは、０．０１ｍｍ〜１ｍｍとすることができる。次に、単位プリズム７５の他側面７７は、後述するように、導光板からの光を全反射させることにより当該光の進行方向を変化させることを意図されている。そして、他側面７７の導光方向に対する他側面７７の傾斜角度θｃ１（図４参照）は、１５°以上４５°以下に設定され得る。一方、単位プリズム７５の一側面７６は、後述するように、導光板からの光の入射面として機能すること以外、特に光学機能を期待されていない。したがって、他側面７７での光の進行方向を補正する機能を害さない限り適宜設計することができるが、導光板の入射光角度に対して出来るだけ直交するような角度にすることが好ましい。
【００４８】
ところで、本明細書において、「シート」、「フィルム」、「板」等の用語は、呼称の違いのみに基づいて、互いから区別されるものではない。したがって、例えば、「シート」はフィルムや板とも呼ばれ得るような部材も含む概念である。同様に、本明細書における「単位プリズム」、「単位要素」、「単位形状要素」、「単位光学要素」および「単位レンズ」とは、屈折や反射等の光学的作用を光に及ぼして、当該光の進行方向を変化させる機能を有した要素のことを指し、呼称の違いのみに基づいて、互いから区別されるものではない。
【００４９】
次に、図３〜図５を主に参照して、導光板５０についてさらに詳述する。図３および図４によく示されているように、導光板５０は、板状に形成された基部６０と、基部６０の光学シート７０側の面上に形成された複数の第１単位要素６１と、基部６０の反射シート４９側の面上に形成された複数の第２単位要素６６と、を有している。基部６０は、一対の平行な主面を有する平板状の部材として構成されている。
【００５０】
第１単位要素６１についてさらに詳述する。図３によく示されているように、複数の第１単位要素６１は、第１方向ｄ１と交差し且つ基部６０のシート面と平行な配列方向に並べられて、基部６０上に配列されている。各第１単位要素６１は、基部６０上を、その配列方向と交差する方向に線状に延びている。
【００５１】
とりわけ図示された例において、複数の第１単位要素６１は、基部６０上に、第１方向ｄ１と直交する配列方向に隙間無く並べて配列されている。したがって、導光板５０の出光面５１は、第１単位要素６１の表面によってなされる第１傾斜面６２及び第２傾斜面６３とから、構成されている。また、各第１単位要素６１は、配列方向と直交する第１方向ｄ１に沿って、直線状に延びている。さらに、各第１単位要素６１は、柱状に形成され、その長手方向に沿って同一の断面形状を有するようになっている。また、図示された例において、複数の第１単位要素６１は、互いに同一に構成されている。
【００５２】
図５に示す断面、つまり、第１単位要素６１の配列方向および基部６０の法線方向（導光板５０の法線方向や鏡３０の法線方向に一致する方向）の両方向に平行な断面において、各第１単位要素６１は、基部６０上に一辺が位置する三角形形状、又は、この三角形形状の基部６０から突出した頂角が面取りされてなる形状を有している。なお、図５に示された断面を、以下において、単に「導光板の主切断面」とも呼ぶ。図５に示す例において、各第１単位要素６１の主切断面における断面形状は、基部６０から突出する三角形の頂角を面取りした形状となっている。また、図５に示す例においては、第１単位要素６１の配列方向に沿った面内での輝度の角度分布に対称性を付与することを目的として、導光板の主切断面における第１単位要素６１の断面形状は、基部６０の法線方向（導光板５０の法線方向や鏡３０の法線方向に一致する方向）を中心として、対称性を有している。したがって、主切断面における断面三角形形状の二つの底角θａ１，θａ２は互いに等しい角度となっている。
【００５３】
次に、第２単位要素６６についてさらに詳述する。図３及び図４から理解され得るように、複数の第２単位要素６６は、第１方向ｄ１及び基部６０のシート面と平行な配列方向に並べられて、基部６０上に配列されている。各第２単位要素６６は、基部６０上を、その配列方向と交差する方向に線状に延びている。
【００５４】
とりわけ図示された例において、複数の第２単位要素６６は、基部６０上に、第１方向ｄ１に隙間無く並べて配列されている。したがって、導光板５０の裏面５２は、第２単位要素６２の表面をなす第１面６７及び第２面６８とから、形成されている。また、各第２単位要素６６は、第１方向ｄ１と直交する方向に沿って、直線状に延びている。さらに、各第２単位要素６６は、柱状に形成され、その長手方向に沿って同一の断面形状を有するようになっている。また、図示された例において、複数の第２単位要素６６は、互いに同一に構成されている。
【００５５】
第２単位要素６６の配列方向および基部６０の法線方向の両方向に平行な断面において、各第２単位要素６６は、基部６０上に一辺が位置する三角形形状として形成されている。第２単位要素６６は、長辺として形成された第１面６７と、短辺として形成された第２面６８と、を有している。なお、第１面６７は、導光板５０内を進む光の進行方向を傾斜させるための反射面として機能し、当該光が出光面５１を介して導光板５０から出射することを促進する。一方、第２面６８は、隣り合う二つの第１面６７を接続する段差面であり、導光板５０内を進む光に対する光学的機能を特に期待されていない。導光方向に対する第１面６７の傾斜角度θｂ１（図５参照）は、比較的小さい値、例えば０．２°以上２°以下に設定され得る。一方、導光方向に対する第２面６８の傾斜角度θｂ２は、比較的大きな値、典型的には９０°に設定される。
【００５６】
以上のような構成を有した導光板５０の寸法は、一例として、以下のように設定され得る。まず、第１単位要素６１の具体例として、導光板５０の板面に沿った幅Ｗａ（図５参照）を５μｍ以上５００μｍ以下とすることができ、導光板５０の板面への法線方向に沿った第１単位要素６１の基部６０からの高さＨａ（図５参照）を１μｍ以上２５０μｍ以下とすることができる。また、第１単位要素６１の断面形状が三角形形状または三角形形状の頂角を面取りしてなる形状からなる場合には、当該頂角の角度θａ３（図５参照）を９０°以上１４５°以下とすることができる。第１単位要素６１の断面形状が三角形形状の頂角を面取りしてなる形状となっている場合、主切断面において、第１単位要素６１の頂部は、曲率半径Ｒａの値が第１単位要素６１の幅Ｗａの値以下となっている曲線として、形成されていることが好ましい。第２単位要素６６の具体例として、導光板５０の板面に沿った幅Ｗｂ（図４参照）を１０μｍ以上５００μｍ以下とすることができ、導光板５０の板面への法線方向に沿った第２単位要素６６の基部６０からの高さＨｂ（図４参照）を１μｍ以上５０μｍ以下とすることができる。また、基部６０の厚みは、０．１ｍｍ〜６ｍｍとすることができる。
【００５７】
ここで例示した導光板５０の寸法および形状によれば、導光板５０の法線方向を０°として、導光板５０の法線方向から導光方向、すなわち第１方向ｄ１における入光面５３の側に向けて傾斜した場合の角度が負の値となり、導光板５０の法線方向から導光方向における反対面５４の側に向けて傾斜した場合の角度が正の値となるように定義した場合、当該輝度の角度分布において、６５°から８０°の間に輝度が最大となるピーク角度を持ち、さらに例示した寸法の範囲を狭めることによって６５°から７５°の間に輝度が最大となるピーク角度を持つようにすることができる。
【００５８】
以上のような構成からなる導光板５０は、樹脂の賦型シートを用いた押し出し成型により、あるいは、電離放射線樹脂からなる第１単位要素６１及び第２単位要素６６を基材上に賦型することにより、作製することができる。
【００５９】
次に、以上のような構成からなる面光源装置４０の作用について説明する。
【００６０】
まず、図４に示すように、光源４５をなす発光ダイオード４６で発光された光は、入光面５３を介し、導光板５０に入射する。図４に示すように、導光板５０へ入射した光の多くは、導光板５０の出光面５１および裏面５２において、反射、とりわけ導光板５０をなす材料と空気との屈折率差に起因して全反射を繰り返し、導光板５０の入光面５３と反対面５４とを結ぶ導光方向、とりわけ図示された例では第１方向ｄ１へ進んでいく。
【００６１】
ただし、図示された導光板５０の裏面５２は、第２単位要素６６によって構成され、入光面５３から反対面５４に向かうにつれて、出光面５１に対して接近するように傾斜した第１面６７を有している。第１面６７は第２面６８を介して連結されているが、この第２面６８は、一例として、導光板５０の法線方向に延びている。したがって、導光板５０内を入光面５３の側から反対面５４の側へと進む光のほとんどは、裏面５２のうち、第２面６８に入射することなく、第１面６７にて反射するようになる。このため、図４に示すように、出光面５１及び裏面５２にて反射を繰り返しながら導光板５０内を光が進む場合、当該光の出光面５１及び裏面５２への入射角度は、次第に小さくなっていき、全反射臨界角未満となる。この結果、導光板５０内を進む光は、少しずつ、出光面５１から出射するようになる。このような方法によれば、第２面６８の分布を調節することにより、導光板５０の出光面５１から出射する光の導光方向に沿った光量分布、本例では第１方向ｄ１に沿った光量分布を制御すること、例えば第１方向ｄ１に沿った光量分布を均一化させることが可能となる。
【００６２】
ところで、図示する導光板５０の出光面５１は複数の第１単位要素６１によって構成され、各第１単位要素６１の主切断面における断面形状は、三角形形状または三角形形状の頂角を面取りしてなる形状となっている。すなわち、出光面５１は、導光板５０の板面に対して傾斜した傾斜面６２，６３として、構成されている（図５参照）。そして、この傾斜面６２，６３で全反射して導光板５０内を進む光およびこの傾斜面６２，６３を通過して導光板５０から出射する光は、この傾斜面６２，６３から、以下に説明する作用を及ぼされるようになる。まず、傾斜面６２，６３で全反射して導光板５０内を進む光に対して及ぼされる作用について説明する。
【００６３】
図５には、出光面５１及び裏面５２において全反射を繰り返しながら導光板５０内を進む光Ｌ５１，Ｌ５２の光路が、導光板の主切断面内に示されている。上述したように、導光板５０の出光面５１をなす傾斜面６２，６３は、三角形形状の頂角を面取りしてなる形状を断面形状として有している第１単位要素６１の外表面によって形成され、基部６０の法線方向を挟んで互いに逆側に傾斜した二種類の面を含んでいる。また、互いに逆側に傾斜した二種類の傾斜面６２，６３は、第１単位要素６１の配列方向に沿って、交互に並べられている。そして、図５に示すように、導光板５０内を出光面５１に向けて進み出光面５１に入射する光Ｌ５１，Ｌ５２は、多くの場合、二種類の傾斜面６２，６３のうちの、導光板の主切断面において基部６０の法線方向を基準として当該光の進行方向とは逆側に傾斜した傾斜面へ入射する。
【００６４】
この結果、図５に示すように、導光板５０内を進む光Ｌ５１，Ｌ５２は、出光面５１の傾斜面６２，６３で全反射する多くの場合、第１単位要素６１の配列方向に沿った成分を低減されるようになり、さらには、主切断面においてその進行方向は導光板の法線方向を中心として逆側に向くようにもなる。このようにして、導光板５０の出光面５１をなす傾斜面６２，６３によって、ある発光点で放射状に発光された光が、そのまま第１単位要素６１の配列方向に拡がり続けることが規制される。すなわち、光源４５の発光ダイオード４６から第１方向に対して大きく傾斜した方向に発光され導光板５０内に入射した光も、第１単位要素６１の配列方向への移動を規制されながら、主として導光方向である第１方向ｄ１へ進むようになる。これにより、導光板５０の出光面５１から出射する光の第１単位要素６１の配列方向に沿った配光特性、例えば光量分布を、光源４５の構成（例えば、発光ダイオード４６の配列）や、発光ダイオード４６の出力によって、調節するといったことが可能となる。
【００６５】
次に、出光面５１を通過して導光板５０から出射する光に対して及ぼされる作用について説明する。図５に示すように、出光面５１を介し導光板５０から出射する光Ｌ５１，Ｌ５２は、導光板５０の出光面５１をなす第１単位要素６１の出光側面において屈折する。この屈折により、主切断面において導光板の法線方向から傾斜した方向に進む光Ｌ５１，Ｌ５２の進行方向（出射方向）は、主として、導光板５０内を通過している際における光の進行方向と比較して、導光板５０の法線方向に対してなす角度が小さくなるように、曲げられる。このような作用により、第１単位要素６１は、導光方向と直交する方向に沿った光の成分について、透過光の進行方向を導光板５０の法線方向側に絞り込むことができる。すなわち、第１単位要素６１は、導光方向と直交する方向、すなわち第１単位要素６１の配列方向に沿った光の成分に対して、集光作用を及ぼすようになる。このようにして、導光板５０から出射する光の出射角度は、導光板５０の第１単位要素６１の配列方向と平行な面内において、導光板５０の法線方向を中心とした狭い角度範囲内に絞り込まれる。
【００６６】
また、発光源４５の発光ダイオード４６から導光板５０に入射する光には、導光板の法線方向からの観察において導光方向である第１方向ｄ１に対して傾斜して進む光も多く含まれている。とりわけ、発光源４５が線状の冷陰極管ではなく点状発光体である発光ダイオード４６の集合として構成されている場合、光が発光ダイオード４６から放射状に発光され、導光板５０の平面視において導光方向である第１方向ｄ１に対して大きく傾斜した方向に進む光が、多く存在するようになる。そして、導光板５０の出光面５１が導光板５０の板面に対して傾斜した傾斜面６２，６３として形成されている場合には、出光面５１が平坦面である場合と比較して、導光板５０の法線方向からの観察において第１方向ｄ１から傾斜した方向に進む光の出光面５１への入射角度が小さくなりやすくなる。すなわち、出光面５１が板面に対して傾斜した傾斜面６２，６３として形成されている場合、導光板５０内を進む光が、全反射臨界角度未満の角度で出光面５１へ入射しやすくなる。この結果、出光面５１が板面に対して傾斜した傾斜面６２，６３として形成されている場合、導光板５０内を進む光の出光面５１からの取り出しが促進されるようになる。
【００６７】
以上のようにして、導光板５０から出射する光の出射角度は、導光板５０の第１単位要素６１の配列方向と平行な面において、導光板５０の法線方向を中心とした狭い角度範囲内に絞り込まれる。その一方で、導光板５０から出射する光の出射角度は、それまで、導光板５０内を主として第１方向ｄ１に進んでいたことに起因して、第１方向ｄ１と平行な面において、導光板５０の法線方向から比較的大きく傾斜した比較的に大きな出射角度となる。具体的には、導光板５０から出射する光の第１方向成分の出射角度、すなわち出射光の第１方向成分と導光板５０の法線方向とがなす角度は、比較的大きな角度となる狭い角度範囲内に偏る、傾向がある。例えば、既に説明したように、上述の例示の形状および寸法からなる導光板では、導光板５０の板面への法線方向に対して６５°以上８０°以下（さらには６５°以上７５°以下）の範囲にピーク輝度が発生するように設定することができる。
【００６８】
以上のようにして最終的に導光板５０から出射した光は、図４に示すように、光学シート７０へ入射する。上述したように、光学シート７０は、導光板５０側へ向けて頂角が突出する断面三角形状の単位プリズム７５を有している。図４によく示されているように、単位プリズム７５の長手方向は、導光板５０による第１方向ｄ１と交差する方向、とりわけ本実施の形態では導光方向と直交する方向と、平行になっている。また、導光板５０をなす材料と空気との屈折率差に起因し、導光板５０の出光面５１から出射する光の第１方向成分の出射角度、すなわち出射光の第１方向成分と導光板５０の板面への法線方向ｎｄとがなす角度は、特定の角度範囲（例えば、６５°〜８５°）内に偏る、傾向がある。
【００６９】
これらのことから、図４に示すように、導光板５０の出光面５１から出射した光の多くが、光学シート７０の単位プリズム７５の一側面７６を透過して当該単位プリズム７５へ入射し、その後、当該単位プリズム７５の他側面７７で全反射するように、光学シート７０を設計することができる。単位プリズム７５の他側面７７での全反射により、光学シート７０の出光面７１によって構成される面光源装置４０の発光面４０ａからの出射する光の配光特性、より具体的には、面光源装置４０の発光面４０ａでの輝度の角度分布を所望のプロファイルに調整することが可能となる。この結果、上述したように、面光源装置４０からの照明光Ｌａによって、鏡３０に写すべき被写体５を効果的に照明することができる。
【００７０】
以上のように本実施の形態によれば、面光源装置４０の発光面４０ａ上の輝度についての鏡３０の法線方向ｎｄ及び第１方向ｄ１の両方に平行となる面内での角度分布においてピーク輝度を呈する方向は、鏡３０の法線方向ｎｄに対して、第１方向ｄ１における面光源装置４０の側から鏡３０の側へ傾斜している。したがって、鏡３０に写すべき被写体５を十分な明るさ十分均一に照明することができる。この結果、被写体５の鏡３０への写り映えを効果的に改善することができる。
【００７１】
また、上述した実施の形態では、面光源装置４０がエッジライト型として構成されている。したがって、面光源装置４０の厚みを鏡３０と調和がとれる程度の厚みにまで薄くすることができ、且つ、非常に強い指向性を有した配光特性を面光源装置４０に付与することができる。
【００７２】
なお、上述した実施の形態に対して様々な変更を加えることが可能である。以下、図面を参照しながら、変形の一例について説明する。以下の説明で用いる図面では、上述した実施の形態における対応する部分に対して用いた符号と同一の符号を用いており、重複する説明を省略する。
【００７３】
上述した実施の形態において、照明付き鏡装置１０の用途として、化粧室用の鏡、試着室用の鏡、美容院や理容院の鏡、化粧品売り場の鏡等を例示した。ただし、照明付き鏡装置１０の用途は、これらの用途に限られず、種々の場所に設置される姿見、浴室用の鏡等、種々の用途に適用され得る。また、照明付き鏡装置１０は、壁等に掛けて使用される形態に限られず、図７及び図８に示すように、支持要素２０がスタンド２２を有し、例えば卓上で使用され得るようにしてもよいし、図９及び図１０に示すように、携帯可能に構成されてもよい。
【００７４】
図７に示された照明付き鏡装置１０の支持要素２０は、フレーム構造体２１と、フレーム構造体２１を可動支持するスタンド２２と、を有している。フレーム構造体２１は、鏡３０と、鏡３０の第１方向ｄ１に沿った両側方に位置する第１面光源装置４１及び第２面光源装置４２をと、を支持している。フレーム構造体２１は、スタンド２２に対して一軸または多軸回動可能に支持されていてもよいし、スタンド２２に対して上下方向に摺動可能に支持されていてもよい。フレーム構造体２１がスタンド２２に対して回動可能であれば、鏡３０に対する横、上、下のいずれにも面光源装置４０を配置することが可能となり、状況に応じて被写体５を効果的に照明することが可能となる。
【００７５】
図８に示された照明付き鏡装置１０の支持要素２０は、フレーム構造体２１と、フレーム構造体２１に揺動可能に連結されたスタンド２２と、を有している。フレーム構造体２１をスタンド２２に対して相対揺動させることにより、フレーム構造体２１に支持された鏡３０の向きを調整することができる。図８に示された例において、フレーム構造体２１は、鏡３０を取り囲む周状に形成されている。面光源装置４０は、フレーム構造体２１内に収容され、鏡３０の側方に位置するようになっている。この例では、第１〜第４の面光源装置４１〜４４が、フレーム構造体２１に支持されている。また、図８に示された照明付き鏡装置１０では、鏡３０は、その背面側に配置された補助鏡３８とともに背合わせに保持され、補助鏡３８とともに鏡ユニット３７を構成している。鏡ユニット３７は、フレーム構造体２１に対して回動可能に支持されており、鏡ユニット３７をフレーム構造体２１に対して回動させることにより、鏡３０または補助鏡３８に被写体５を写すことが可能となる。一例として、鏡３０を通常の平面鏡として構成し、補助鏡３８を拡大鏡として構成することも可能である。
【００７６】
図９及び図１０に示された照明付き鏡装置１０の支持要素２０は、支持板部２４ｂと、底板部２４ｃと、支持板部２４ｂ及び底板部２４ｃの間に配置されて支持板部２４ｂ及び底板部２４ｃのそれぞれに揺動可能に接続された背面板部２４ａと、を、有している。支持板部２４ｂは、鏡３０と、第１方向ｄ１に沿って鏡３０の側方に位置する第１面光源装置４１及び第２面光源装置４２と、を支持している。この照明付き鏡装置１０では、背面板部２４ａ、支持板部２４ｂ及び底板部２４ｃを互いに揺動させることにより、図９に示された使用状態と、図１０に示された携帯状態と、に照明付き鏡装置１０を変形させることができる。
【００７７】
また、上述した実施の形態において、一つの鏡３０の周囲に一以上の面光源装置４０が配置されている例を示した。この例に限られず、一つの面光源装置４０の周囲に二以上の鏡３０が配置されていてもよい。図１１に示された例では、第１方向ｄ１に沿って、面光源装置４０の両側方となる位置に、それぞれ、第１鏡３１及び第２鏡３２が配置されている。図１１の照明付き鏡装置１０では、一つの面光源装置４０が、第１鏡３１に写されるべき第１被写体５ａ及び第２鏡３２に写されるべき第２被写体５ｂの両方を効果的に照明することができるようになっている。
【００７８】
図１２には、図１１に示された面光源装置４０の発光面４０ａ上の輝度についての角度分布ｄｃが示されている。図１２のグラフに示された輝度の角度分布ｄｃは、第１方向ｄ１に平行な面において測定されたものである。とりわけ、図１１に示された照明付き鏡装置１０では、第１鏡３１の板面と第２鏡３２の板面とが平行となるように第１鏡３１及び第２鏡３２が配置されており、図１２のグラフに示された輝度の角度分布ｄｃは、第１方向ｄ１及び各鏡３０の法線方向ｎｄの両方向に平行な面において測定されたものである。図１２のグラフにおいて、縦軸は、輝度を示しており、横軸は、輝度を測定した角度を示している。なお、角度の値は、鏡３１，３２の法線方向ｎｄと平行な方向を０°とし、且つ、当該法線方向ｎｄに対して時計回り方向に傾斜した場合の角度を正の値とし、当該法線方向ｎｄに対して反時計回り方向に傾斜した場合の角度を負の値としている。
【００７９】
図１２に示すように、面光源装置４０の発光面４０ａ上の輝度についての第１方向ｄ１と平行となる面内での角度分布ｄｃに、第１のピーク輝度と第２のピーク輝度とが現れている。とりわけ図１２に示された例では、第１のピーク輝度と第２のピーク輝度とが同一の輝度値となっている。
【００８０】
第１のピーク輝度を呈する方向ｄｐａは、第１鏡３１への法線方向ｎｄに対して、第１方向ｄ１における面光源装置４０の側から第１の鏡３１の側へ傾斜しており、当該方向ｄｐａが、第１鏡３１の法線方向ｎｄに対してなす角度θｐａの値は、−９０°より大きく且つ０°未満となっている。また、第２のピーク輝度を呈する方向ｄｐｂは、第２鏡３２への法線方向ｎｄに対して、第１方向ｄ１における面光源装置４０の側から第２鏡３２の側へ傾斜しており、当該方向ｄｐｂが、第２鏡３２の法線方向ｎｄに対してなす角度θｐｂの値は、０°より大きく且つ９０°未満となっている。このような面光源装置４０の配光特性によれば、一つの面光源装置４０からの光によって、第１被写体５ａ及び第２被写体５ｂの鏡３０に写し出される部分に明るさのムラが生じることを効果的に抑制しながら、第１被写体５ａ及び第２被写体５ｂの鏡３０に写し出される部分を十分均一な明るさにて全体的に照明することができる。
【００８１】
また、面光源装置４０の発光面４０ａ上の輝度についての第１方向ｄ１に平行となる面内での角度分布ｄｃにおいて、第１ピーク輝度を呈する方向ｄｐａを含み且つ第１ピーク輝度の半分以上の輝度が得られる角度域の広さθｗａは１０°以上の７０°以下となっており、第２ピーク輝度を呈する方向ｄｐｂを含み且つ第２ピーク輝度の半分以上の輝度が得られる角度域の広さθｗｂは１０°以上の７０°以下となっている。このような面光源装置４０の配光特性によれば、一つの面光源装置４０からの光によって、第１被写体５ａ及び第２被写体５ｂの鏡３０に写し出される部分に陰及び明るさのムラが生じてしまうことを効果的に抑制しながら、第１被写体５ａ及び第２被写体５ｂの鏡３０に写し出される部分を十分均一な明るさにて全体的に照明することができる。
【００８２】
さらに、面光源装置４０の発光面４０ａ上の輝度についての第１方向ｄ１に平行となる面内での角度分布ｄｃにおいて、第１ピーク輝度を呈する方向ｄｐａを含み且つ第１ピーク輝度の半分以上の輝度が得られる角度域が、第１方向ｄ１における面光源装置４０の側から第１鏡３１の側へ傾斜した範囲にある。とりわけ、面光源装置４０の発光面４０ａ上の輝度についての第１方向ｄ１に平行となる面内での角度分布ｄｃにおいて、第１ピーク輝度を呈する方向ｄｐａを含み且つ第１ピーク輝度の半分以上の輝度が得られる角度域の最外方となる方向ｄｗｘａ，ｄｗｙａが、いずれも、第１鏡３１の法線方向ｎｄに対して、第１方向ｄ１における面光源装置４０の側から第１鏡３１の側へ傾斜している。同様に、面光源装置４０の発光面４０ａ上の輝度についての第１方向ｄ１に平行となる面内での角度分布ｄｃにおいて、第２ピーク輝度を呈する方向ｄｐｂを含み且つ第２ピーク輝度の半分以上の輝度が得られる角度域が、第１方向ｄ１における面光源装置４０の側から第２鏡３２の側へ傾斜した範囲にある。とりわけ、面光源装置４０の発光面４０ａ上の輝度についての第１方向ｄ１に平行となる面内での角度分布ｄｃにおいて、第２ピーク輝度を呈する方向ｄｐｂを含み且つ第２ピーク輝度の半分以上の輝度が得られる角度域の最外方となる方向ｄｗｘｂ，ｄｗｙｂが、いずれも、第２鏡３２の法線方向ｎｄに対して、第１方向ｄ１における面光源装置４０の側から第２鏡３２の側へ傾斜している。このような面光源装置４０の配光特性によれば、一つの面光源装置４０からの光によって、第１被写体５ａ及び第２被写体５ｂの鏡３０に写し出される部分に陰が生じてしまうこと並びに明るさのムラが生じてしまうことの両方をより効果的に抑制しながら、第１被写体５ａ及び第２被写体５ｂの鏡３０に写し出される部分をより均一な明るさにて全体的に照明することができる。
【００８３】
なお、図１２に示された配光特性は、一例として、図１３に示された面光源装置４０によって実現することができる。図１３に示された面光源装置４０は、導光板５０の反対面５４が第２の入光面を形成すること、第２の入光面をなす導光板５０の反対面５４に対面して第２の発光源４７が設けられていること、導光板５０の第２単位要素６６の断面形状が異なっていること、並びに、光学シート７０の単位プリズム７５の断面形状が異なっていることを除き、図３〜図５に示された面光源装置と同様に構成され得る。第２の発光源４７は、配置位置が異なることを除き、発光源４５と同様に構成され得る。導光板５０の第２単位要素６６において、第２面６８は、導光板５０の法線方向を中心として、第１面６７と対称的な面として構成され得る。この場合、導光板５０の第１面６７は、発光源４５からの光の進行方向を変更し、当該光が出光面５１を介して導光板５０から出射することを促進する。一方、導光板５０の第２面６８は、第２発光源４７からの光の進行方向を変更し、当該光が出光面５１を介して導光板５０から出射することを促進する。また、光学シート７０の単位プリズム７５において、一側面７６は、導光板５０の法線方向を中心として、他側面７７と対称的な面として構成され得る。この場合、光学シート７０の一側面７６は、主として、発光源４５からの光の光学シート７０への入射面として機能するとともに、第２発光源４７からの光を全反射して当該光の進行方向を偏向させる面として機能する。一方、光学シート７０の他側面７７は、主として、第２発光源４７からの光の光学シート７０への入射面として機能するとともに、発光源４５からの光を全反射して当該光の進行方向を偏向させる面として機能する。
【００８４】
さらに、上述した実施の形態において、鏡３０の面３４と面光源装置４０の発光面４０ａとが同一面上に配置されている例を示したがこれに限られない。例えば、図１５に示すように、面光源装置４０の表面の一部分上に鏡３０が配置されていてもよい。図１５に示された例において、面光源装置４０の鏡３０が配置されている面のうちの、当該鏡３０によって覆われていない部分が、発光面４０ａを形成している。とりわけ図１５に示された例において、第１方向ｄ１に沿った鏡３０の両側方となる位置に、それぞれ、発光面４０ａが位置している。発光面４０ａからの照明光Ｌａの配光特性が上述したように設計されることにより、鏡３０の両側方に位置する発光面４０ａの各々からの照明光Ｌａによって、被写体を効果的に照明することが可能となる。
【００８５】
さらに、上述した実施の形態で説明した図３〜図５に示された面光源装置４０の構成を変更することが可能である。
【００８６】
例えば、上述した実施の形態において、導光板５０の裏面５２が、第２単位要素６６の第１面６７及び第２面６８によって形成され、導光板５０内を進む光が第１面６７で反射することによって、出光面５１を介した導光板５０からの光の取り出しが促進されるようにしたが、この例に限られない。まず、上述した実施の形態では、導光板５０から光を取り出すための構成として、裏面５２が傾斜した第１面６７を含む構成としたが、導光板５０から光を取り出すための構成はこの例に限られない。
【００８７】
例えば、図１４に示すように、導光板５０の基部６０が、樹脂からなる主部６０ａと、主部６０ａ中に分散された拡散成分６０ｂと、を有している。ここでいう拡散成分６０ｂとは、基部６０内を進む光に対し、反射や屈折等によって、当該光の進路方向を変化させる作用を及ぼし得る成分のことである。このような拡散成分６０ｂの光拡散機能（光散乱機能）は、例えば、主部６０ａをなす材料とは異なる屈折率を有した材料から拡散成分６０ｂを構成することにより、あるいは、光に対して反射作用を及ぼし得る材料から拡散成分６０ｂを構成することにより、付与され得る。主部６０ａをなす材料とは異なる屈折率を有する拡散成分６０ｂとして、金属化合物、気体を含有した多孔質物質、さらには、単なる気泡が例示される。
【００８８】
図１４に示された導光板５０においては、導光板５０内を進む光は、拡散成分６０ｂによって進行方向を不規則に変更され、全反射臨界角未満の入射角度で出光面５１に入射することもある。この場合、当該光は、導光板５０の出光面５１から、出射し得るようになる。導光板５０内を進行する光と、導光板５０内に分散された拡散成分６０ｂと、の衝突は、導光板５０内の導光方向に沿った各区域において、生じる。このため、導光板５０内を進んでいる光は、少しずつ、出光面５１から出射するようになる。したがって、導光板５０内における拡散成分６０ｂの分散を調節することにより、導光板５０の出光面５１から出射する光の導光方向に沿った光量分布、本例では第１方向ｄ１に沿った光量分布を制御すること、例えば第１方向ｄ１に沿った光量分布を均一化させることが可能となる。
【００８９】
なお、図１４に示す例においては、導光板５０の裏面５２が平坦面として形成されているが、これに限られず、導光板５０が第２単位要素６６を有し、裏面５２が傾斜した第１面６７を含むようにしてもよい。
【００９０】
さらに、上述した実施の形態の例や図１４に示す例に限られず、導光板５０に入射した光を導光板５０から出射させるための別の構成を、既述の構成と代えて又は既述の構成に加えて、採用することができる。裏面５２に傾斜した第１面６７を設ける構成および基部６０に拡散成分６０ｂを分散させる構成以外の、光取り出し構成としては、例えば、出光面５１および裏面５２の少なくとも一方を粗面とする構成や、裏面５２上に白色散乱層のパターンを設ける構成等が、挙げられる。また、上述した実施の形態において、導光板５０の裏面５２が傾斜した第１面６７と法線方向に延びる第２面６８とを有するようにした例を示したが、これに限られず、第２面６８を省き、導光板５０の裏面５２が一つの連続した平坦な傾斜面や一つの連続した曲面として構成されていてもよい。
【００９１】
また、上述した実施の形態において、発光源４５が、導光板５０の入光面５１に沿って並べて配置された複数の点状光源、具体例として発光ダイオード４６から構成される例を示したが、これに限られず、エッジライト型の面光源装置に用いられ得る種々の光源、例えば、導光板５０の入光面５１と平行に延びるように配置された冷陰極管から、光源４５が構成されてもよい。
【００９２】
さらに、上述した実施の形態において、導光板５０の第１単位要素６１の断面形状が、三角形形状となっている例を示したが、これに限られない。第１単位要素６１の断面形状が、三角形形状以外の形状、例えば台形等の四角形、五角形、或は六角形等の種々の多角形形状となるようにしてもよい。また、単位形状要素５５の断面形状が、円または楕円形状の一部分に相当する形状を有するようにしてもよい。またそもそも、第１単位要素６１を導光板５０から省略してもよい。
【００９３】
さらに、上述した実施の形態において、導光板５０の出光側に配置される光学シート７０の一例を説明したが、上述した光学シート７０は単なる例示に過ぎない。上述した光学シート７０に代えて、種々の形態の光学シートを用いることができる。例えば、出光側に単位プリズムが突出した光学シートを用いることができる。また、単位プリズム７５の断面形状が三角形形状以外の形状、例えば、三角形以外の多角形や楕円の一部分に相当する形状等となっている光学シートを用いることもできる。また、導光板５０の構成を適切に設計することにより、導光板５０の出光面５１からの出射する光の配光特性を調節することができれば、光学シート７０を面光源装置４０から省くことも可能である。
【００９４】
さらに、上述した面光源装置４０の構成は、単なる例示に過ぎず、種々の変更が可能である。例えば、透過光を拡散させる機能を有した光拡散シート等を面光源装置４０に組み込んでも良い。また、面光源装置４０が、エッジライト型である必要はなく、直下型の面光源装置として構成されていてもよい。なお、直下型の面光源装置である場合には、指向性を得るためにプリズム面が光源に対して反対側になるように配置されたプリズムシートを1枚あるいはプリズムの稜線を直交させるような配置で２枚積層することで指向性を得ることが出来る。
【００９５】
なお、以上において上述した実施の形態に対するいくつかの変形例を説明してきたが、当然に、複数の変形例を適宜組み合わせて適用することも可能である。
【符号の説明】
【００９６】
１０   照明付き鏡装置
２０   支持要素
３０   鏡
３１   第１鏡
３２   第２鏡
３４   面、鏡面、反射面
４０   面光源装置
４０ａ 発光面
４１   第１面光源装置
４２   第２面光源装置
４３   第３面光源装置
４４   第４面光源装置
４５   発光源
４６   発光ダイオード
５０   導光板
７０   光学シート
【図１】
2014094177.tif 000003
【図２】
2014094177.tif 000004
【図３】
2014094177.tif 000005
【図４】
2014094177.tif 000006
【図５】
2014094177.tif 000007
【図６】
2014094177.tif 000008
【図７】
2014094177.tif 000009
【図８】
2014094177.tif 000010
【図９】
2014094177.tif 000011
【図１０】
2014094177.tif 000012
【図１１】
2014094177.tif 000013
【図１２】
2014094177.tif 000014
【図１３】
2014094177.tif 000015
【図１４】
2014094177.tif 000016
【図１５】
2014094177.tif 000017